(57)【要約】【課題】本発明は、周知技術における緩衝材の複雑な製作工程、及び緩衝材の形状が固定されていて積み重ね難く、運送及び保管し難いということを解決することにある。【解決手段】本発明は、一体的に形成する梱包材であって、底板、前記底板に連接する第一側辺の第一側板及び前記底板に連接する第一側辺の第二側板を包含している。前記第一側板は、第一外板と、前記第一外板上に形成して前記第一側辺に連接するために用いる第一スコアと、前記第二側板に近接する前記第一外板の一側に設置する第一組立部とを有し、前記第二側板は、第二外板と、前記第二外板上に形成して前記第二側辺に連接するために用いる第二スコアと、前記第一側板に近接する前記第二外板の一側に設置する第一連接部を有している。前記第一外板及び前記第二外板は、前記第一スコアによって前記底板に向かってそれぞれ折曲し、前記第一組立部と前記第一連接部とを嵌合させることで前記梱包材を完成させている。【選択図】図１
2017100764.tif 000002
【特許請求の範囲】
【請求項１】
緩衝材によって一体的に形成する梱包材であって、
第一側辺及び前記第一側辺に連接して前記第一側辺と共に挟角を定義する第二側辺を包含する底板と、
前記第一側辺にそれぞれ連接する第一側板及び第二側板と、を包含し、
前記第一側板は、第一外板と、前記第一外板上に形成して前記第一側辺に連接するために用いる第一スコアと、前記第二側板に近接する前記第一外板の一側に設置する第一組立部とを有し、
前記第二側板は、第二外板と、前記第二外板上に形成して前記第二側辺に連接するために用いる第二スコアと、前記第一側板に近接する前記第二外板の一側に設置する第一連接部を有し、
前記第一外板は、前記第一スコアによって前記底板に向かって折曲し、前記第二外板は、前記第二スコアによって前記底板に向かって折曲し、前記第一組立部と前記第一連接部とを嵌合させることを特徴とする梱包材。
【請求項２】
前記第一組立部は、第一凹溝であって、前記第一連接部は、前記第一側板に近接する前記第二外板の一側に連接する連接板と、前記第一連接板上に形成し、前記第二外板に連接するために用いる第一折れ線と、前記第一連接板より前記第二外板から離れる方向に向かって凸出する第一凸起とを有し、前記第一連接板は、前記第一折れ線によって前記第一外板に向かって折曲し、前記第一凸起と前記第一凹溝とを嵌合させることを特徴とする請求項１に記載の梱包材。
【請求項３】
前記第一連接部は、第一凹溝であって、前記第一組立部は、前記第二側板に近接する前記第一外板の一側に連接する連接板と、前記第一連接板上に形成し、前記第一外板に連接するために用いる第一折れ線と、前記第一連接板より前記第一外板から離れる方向に向かって凸出する第一凸起とを有し、前記第一連接板は、前記第一折れ線によって前記第二外板に向かって折曲し、前記第一凸起と前記第一凹溝とを嵌合させることを特徴とする請求項１に記載の梱包材。
【請求項４】
前記第一側板は、前記第一スコアから離れた前記第一外板の一側に連接する第一補強板と、前記第一外板及び前記第一補強板を連接するために用いる第一クリーズとをさらに包括し、前記第一補強板は、前記第一クリーズから離れた一側を第一組立内側辺とし、前記第二側板は、前記第二スコアから離れた前記第二外板の一側に連接する第二補強板と、前記第二外板及び前記第二補強板を連接する第二クリーズをさらに包括し、前記第二補強板は、前記第二クリーズ側から離れた一側を第二組立内側辺とし、前記第一外板を前記底板に向かって折曲した後、前記第一クリーズによって前記第一補強板を前記第一外板に向かうように折曲して前記第一外板上に重ね合わせることで、前記第一組立内側辺を前記底板に当接し、また、前記第二外板を前記底板に向かって折曲した後、前記第二クリーズによって前記第二補強板に向かうように折曲して前記第二外板上に重ね合わせることで、前記第二組立内側辺で前記底板に当接することを特徴とする請求項１に記載の梱包材。
【請求項５】
前記底板は、前記第二側辺に連接して前記第二側辺と共に挟角を定義する第三側板を具備し、前記梱包材は、前記第三側辺に連接する第三側板をさらに有し、前記第三側板は、第三外板と、前記第三外板上に形成して前記第三側辺に連接するために用いる第三スコアと、前記第二側板に近接する前記第外板の一側に設置する第二組立部とを有し、前記第二側板は、前記第三側板に近接する第二外板の一側に設置する第二連接部をさらに有し、前記第二外板を前記底板に向かって折曲した後、前記第三スコアによって前記第三外板を前記底板に向かって折曲し、前記第二組立部と前記第二連接部とを嵌合させることを特徴とする請求項１に記載の梱包材。
【請求項６】
前記第一組立部及び前記第二組立部は、それぞれ第一凹溝及び第二凹溝であって、前記第一連接部は、前記第一側板に近接する前記第二外板の一側に連接する第一連接板と、前記第一連接板上に形成して前記第二外板に連接するために用いる第一折れ線と、前記第一連接板より前記第二外板から離れる方向に凸出する第一凸起とを有し、前記第二連接部は、前記第三側板に近接する前記第二外板の一側に連接する第二連接板と、前記第二連接板上に形成して前記第二外板に連接するために用いる第二折れ線と、前記第二連接板より前記第二外板から離れる方向に凸出する第二凸起とを有し、前記第一折れ線によって前記第一連接板を前記第一外板に向かって折曲し、前記第二折れ線によって前記第二連接板を前記第三外板に向かって折曲し、前記第一凸起と前記第一凹溝とを嵌合させ、且つ前記第二凸起と前記第二凹溝とを嵌合させることを特徴とする請求項５に記載の梱包材。
【請求項７】
前記第一連接部及び前記第二連接部は、それぞれ第一凹溝及び第二凹溝であって、前記第一組立部は、前記第二側板に近接する前記第一外板の一側に連接する第一連接板と、前記第一連接板上に形成して前記第一外板に連接するように用いる第一折れ線と、前記第一連接板より前記第一外板から離れる方向に凸出する第一凸起とを有し、前記第二組立部は、前記第二側板に近接する前記第三外板の一側に連接する第二連接板と、前記第二連接板上に形成して前記第三外板に連接するために用いる第二折れ線と、前記第二連接板より前記第三外板から離れる方向に凸出する第二凸起とを有し、前記第一連接板及び前記第二連接板は、前記第一折れ線及び前記第二折れ線によって前記第二外板に向かってそれぞれ折曲し、前記第一凸起と前記第一凹溝とを嵌合させ、且つ前記第二凸起と前記第二凹溝とを嵌合させることを特徴とする請求項５に記載の梱包材。
【請求項８】
前記第三側板は、前記第三スコアから離れた前記第三外板の一側に連接する第三補強板と、前記第三外板及び前記第三補強板を連接するために用いる第三クリーズをさらに包括し、前記第三補強板は、前記第三クリーズから離れた一側を第三組立内側辺とし、前記第三外板を前記底板に向かって折曲した後、前記第三クリーズによって前記第三補強板に向かうように折曲して前記第三外板上に重ね合わせることで、前記第三組立内側辺で前記底板に当接することを特徴とする請求項５に記載の梱包材。
【発明の詳細な説明】
【技術分野】
【０００１】
本発明は、特に、折曲することによって組立を実施する一体的に形成した梱包材に関するものである。
【背景技術】
【０００２】
製品の高度な分業及びグローバル化への発展に伴い、長距離輸送を介さなければ、製品或いは原材料を工場或いは販売拠点に到達することができず、製品がより精密化している状況にある現在では、輸送過程において、製品に対してより良い保護を提供することが必要とするため、多くの業者が製品の周囲に緩衝材を設置しており、通常、前記緩衝材を製品の隅角或いは端面に固定することで、製品の接触による損傷を防いでいる。しかしながら、従来の緩衝材には多くの課題が存在している。
【０００３】
例えば、特許文献１に開示しているパルプから形成する包装用アングル材は、モールドに流し込んだパルプを乾燥させた後Ｌ字型に形成するものであるが、Ｌ字型に形成した後のアングル材は、固定された構成を形成するため、重ねて収納することができないことから、保管する際は保管空間を多く占領してしまい、輸送上あまり好ましくない。また、特許文献２に開示しているボール紙製アングル材の改良構成は、主に、複数のボール紙を利用して粘着し合い、多層のボール紙を上下に重ね合わせように粘着して一体的に結合する構成を予め形成し、その後、さらに被覆紙によって、上記の一体的に粘着した多層構成を被覆し、最後にモールドを介して加圧することで、Ｌ字型のアングル材構成を生成している。しかしながら、このような従来のアングル材は、モジュールを介して加圧しなければＬ字型のアングル材構成を形成することができず、工程が複雑で、且つ形成後のアングル材もまた固定した態様を形成し、展開した状態で重ねて収納することができないため、保管する際は保管空間を多く占領してしまい、保管・輸送上あまり好ましくない。
【０００４】
以上のことから分かるとおり、周知の緩衝材の殆どは、製作工程が複雑で、占領する空間が多いという課題を有している上、保管・輸送が容易ではないという課題の改善も急務となっている。
【発明の概要】
【発明が解決しようとする課題】
【０００５】
本発明に係る第一の目的は、周知技術における緩衝材の複雑な製作工程を解決することにある。
【０００６】
本発明に係る第二の目的は、周知技術における緩衝材の形状が固定されていて積み重ね難く、運送及び保管し難いということを解決することにある。
【課題を解決するための手段】
【０００７】
上述の目的を達成するため、本発明は、緩衝材によって一体的に形成し、底板、第一側板及び第二側板を包含する梱包材を提供している。前記底板は、前記第一側板に連接する第一側辺及び前記第一側辺に連接し、前記第一側辺と共に挟角を定義し且つ前記第二側板に隣接する第二側辺とを包括し、前記第一側板は、第一外板と、前記第一外板上に形成して前記第一側辺に連接するために用いる第一スコアと、前記第二側板に近接する前記第一外板の一側に設置する第一組立部とを有し、前記第二側板は、第二外板と、前記第二外板上に形成して前記第二側辺に連接するために用いる第二スコアと、前記第一側板に近接する前記第二外板の一側に設置する第一連接部を有している。前記第一外板は、前記第一スコアによって前記底板に向かって折曲し、前記第二外板は、前記第二スコアによって前記底板に向かって折曲し、前記第一組立部と前記第一連接部とを嵌合させることで前記梱包材を完成させている。
【０００８】
実施例では、前記第一組立部は、第一凹溝であって、前記第一連接部は、前記第一側板に近接する前記第二外板の一側に連接する連接板と、前記第一連接板上に形成し、前記第二外板に連接するために用いる第一折れ線と、前記第一連接板より前記第二外板から離れる方向に向かって凸出する第一凸起とを有し、前記第一連接板は、前記第一折れ線によって前記第一外板に向かって折曲し、前記第一凸起と前記第一凹溝とを嵌合させている。
【０００９】
実施例では、前記第一連接部は、第一凹溝であって、前記第一組立部は、前記第二側板に近接する前記第一外板の一側に連接する連接板と、前記第一連接板上に形成し、前記第一外板に連接するために用いる第一折れ線と、前記第一連接板より前記第一外板から離れる方向に向かって凸出する第一凸起とを有し、前記第一連接板は、前記第一折れ線によって前記第二外板に向かって折曲し、前記第一凸起と前記第一凹溝とを嵌合させている。
【００１０】
実施例では、前記第一側板は、前記第一スコアから離れた前記第一外板の一側に連接する第一補強板と、前記第一外板及び前記第一補強板を連接するために用いる第一クリーズとをさらに包括し、前記第一補強板は、前記第一クリーズから離れた一側を第一組立内側辺とし、前記第二側板は、前記第二スコアから離れた前記第二外板の一側に連接する第二補強板と、前記第二外板及び前記第二補強板を連接する第二クリーズをさらに包括し、前記第二補強板は、前記第二クリーズ側から離れた一側を第二組立内側辺とし、前記第一外板を前記底板に向かって折曲した後、前記第一クリーズによって前記第一補強板を前記第一外板に向かうように折曲して前記第一外板上に重ね合わせることで、前記第一組立内側辺を前記底板に当接して固定し、また、前記第二外板を前記底板に向かって折曲した後、前記第二クリーズによって前記第二補強板に向かうように折曲して前記第二外板上に重ね合わせることで、前記第二組立内側辺で前記底板に当接して固定している。
【００１１】
実施例では、前記底板は、前記第二側辺に連接して前記第二側辺と共に挟角を定義する第三側板を具備し、前記梱包材は、前記第三側辺に連接する第三側板をさらに有し、前記第三側板は、第三外板と、前記第三外板上に形成して前記第三側辺に連接するために用いる第三スコアと、前記第二側板に近接する前記第外板の一側に設置する第二組立部とを有し、前記第二側板は、前記第三側板に近接する第二外板の一側に設置する第二連接部をさらに有し、前記第二外板を前記底板に向かって折曲した後、前記第三スコアによって前記第三外板を前記底板に向かって折曲し、前記第二組立部と前記第二連接部とを嵌合させて前記梱包材を完成している。
【００１２】
実施例では、前記第一組立部及び前記第二組立部は、それぞれ第一凹溝及び第二凹溝であって、前記第一連接部は、前記第一側板に近接する前記第二外板の一側に連接する第一連接板と、前記第一連接板上に形成して前記第二外板に連接するために用いる第一折れ線と、前記第一連接板より前記第二外板から離れる方向に凸出する第一凸起とを有し、前記第二連接部は、前記第三側板に近接する前記第二外板の一側に連接する第二連接板と、前記第二連接板上に形成して前記第二外板に連接するために用いる第二折れ線と、前記第二連接板より前記第二外板から離れる方向に凸出する第二凸起とを有し、前記第一折れ線によって前記第一連接板を前記第一外板に向かって折曲し、前記第二折れ線によって前記第二連接板を前記第三外板に向かって折曲し、前記第一凸起と前記第一凹溝とを嵌合させ、且つ前記第二凸起と前記第二凹溝とを嵌合させている。
【００１３】
実施例では、前記第一連接部及び前記第二連接部は、それぞれ第一凹溝及び第二凹溝であって、前記第一組立部は、前記第二側板に近接する前記第一外板の一側に連接する第一連接板と、前記第一連接板上に形成して前記第一外板に連接するように用いる第一折れ線と、前記第一連接板より前記第一外板から離れる方向に凸出する第一凸起とを有し、前記第二組立部は、前記第二側板に近接する前記第三外板の一側に連接する第二連接板と、前記第二連接板上に形成して前記第三外板に連接するために用いる第二折れ線と、前記第二連接板より前記第三外板から離れる方向に凸出する第二凸起とを有し、そのうち、前記第一連接板及び前記第二連接板は、前記第一折れ線及び前記第二折れ線によって前記第二外板に向かってそれぞれ折曲し、前記第一凸起と前記第一凹溝とを嵌合させ、且つ前記第二凸起と前記第二凹溝とを嵌合させている。
【００１４】
実施例では、前記第三側板は、前記第三スコアから離れた前記第三外板の一側に連接する第三補強板と、前記第三外板及び前記第三補強板を連接するために用いる第三クリーズをさらに包括し、前記第三補強板は、前記第三クリーズから離れた一側を第三組立内側辺とし、前記第三外板を前記底板に向かって折曲した後、前記第三クリーズによって前記第三補強板に向かうように折曲して前記第三外板上に重ね合わせることで、前記第三組立内側辺で前記底板に当接して固定している。
【発明の効果】
【００１５】
以上のことから、本発明は、周知技術と比べて以下のような利点を有している。
第一に、本発明を製造した時は平面状構成であって、使用者が必要となった時に折曲及び嵌合といった方法を介して立体構成を組組立て、前記梱包材の実施を完成することから、高い便利性と、保管及び輸送が行い易いという利点を有している。
第二に、本発明は、複数の組立部をそれぞれ複数の連接板と嵌合することで、異なる側板同士により強固な関係を形成し、衝撃を受けても脱離し難く、製品の隅角に密着することができ、構成強度及び信頼性を向上している。
【図面の簡単な説明】
【００１６】
【図１】本発明に係る第一実施例の平面構成を示す模式図である。
【図２】本発明に係る第一実施例の立体構成を示す模式図である。
【図３Ａ】本発明に係る第一実施例の組立過程を示す模式図（一）である。
【図３Ｂ】本発明に係る第一実施例の組立過程を示す模式図（二）である。
【図３Ｃ】本発明に係る第一実施例の組立過程を示す模式図（三）である。
【図３Ｄ】本発明に係る第一実施例の組立過程を示す模式図（四）である。
【図３Ｅ】本発明に係る第一実施例の組立過程を示す模式図（五）である。
【図４】本発明に係る第二実施例の局部的実施を示す模式図である。
【図５】本発明に係る第三実施例の実施を示す模式図である。
【図６】本発明に係る第四実施例の実施を示す模式図である。
【発明を実施するための形態】
【００１７】
図１及び２を参照すると、本発明は、例えば、ボール紙、プラスチック板、発砲板或いは適切な強度及び弾性を有するその他の材料からなる緩衝材によって一体的に形成する梱包材である。本実施例では、前記梱包材は、底板１と、前記底板１にそれぞれ連接する第一側板２、第二側板３、第三側板４及び第四側板５とを包含し、前記底板１は、第一側辺１１と、前記第一側辺１１に連接して前記第一側辺１１と共に挟角を定義する第二側辺１２と、前記第二側辺１２に連接して前記第二側辺１２と共にもう一つの挟角を定義する第三側辺１３と、前記第三側辺１３及び前記第一側辺１１を連接する第四側辺１４とを包含している。
【００１８】
本実施例では、前記底板１は四角形であって、隣り合った任意の二つの側辺の間にある挟角は９０度であるが、本発明はこの限りではなく、前記底板１を三角形、五角形或いはその他多角形とすることもできる。
【００１９】
また、前記第一側板２、前記第二側板３、前記第三側板４及び前記第四側板５は、前記底板１の前記第一側辺１１、前記第二側辺１２、前記第三側辺１３及び前記第四側辺１４にそれぞれ連接している。
【００２０】
そのうち、前記第一側板２は、第一外板２１と、前記第一外板２１上に形成して前記第一側辺１１に連接するために用いる第一スコア２１１と、前記第一スコア２１１から離れた前記第一外板２１の一側に連接する第一補強板２２と、前記第一外板２１及び前記第一補強板２２を連接するために用いる第一クリーズ２２１と、前記第二側板３に近接する前記第一外板２１の一側に設置する第一組立部２３とを有している。前記第一補強板２２は、前記第一クリーズ２２１から離れた一側を第一組立内側辺２２２とし、前記第一組立内側辺２２２上に前記第一補強板２２より前記第一スコア２１１から離れる方向に凸出する少なくとも一つの第一嵌合凸部２２３を設け、前記第一スコア２１１は、前記第一嵌合凸部２２３に対応した位置に切込を形成する少なくとも一つの第一切込部２１２を包含している。また、前記第二側板３の構成は、前記第二側板２と相似しており、前記第二外板３１と、前記第二外板３１上に形成して前記第二側辺１２に連接するために用いる第二スコア３１１と、前記第二スコア３１１から離れた前記第二外板３１の一側に連接する第二補強板３２と、前記第二外板３１及び前記第二補強板３２を連接するために用いる第二クリーズ３２１と、前記第一側板２に近接する前記第二外板３１の一側に設置する第一連接部３３とを有している。また、前記第二補強板３２は、前記第二クリーズ３２１から離れた一側を第二組立内側辺３２２とし、前記第二組立内側辺３２２上に前記第二補強板３２より前記第二スコア３１１から離れる方向に凸出する少なくとも一つの第二嵌合凸部３２３を設け、前記第二スコア３１１は、前記第二嵌合凸部３２３に対応した位置に切込を形成する少なくとも一つの第二切込部３１２を包含している。
【００２１】
なお、前記第一組立部２３及び前記第一連接部３３は、様々な異なる形態で実施することができ、本実施例では、前記第一組立部２３は、前記第二側板３に向いている第一凹溝であって、前記第一連接部３３は、前記第一側板２に近接する前記第二外板３１の一側に連接する第一連接板３３１と、前記連接板３３１上に形成して前記第二外板３１に連接するために用いる第一折れ線３３２と、前記第一連接板３３１より前記第二外板３１から離れる方向に向かって凸出することで前記第一凹溝と嵌合関係を形成する第一凸起３３３とを包含している。
【００２２】
図２及び図３Ａ乃至図３Ｅを参照すると、本発明を実施するためには、まず、前記第一クリーズ２２１によって前記第一補強板２２を前記第一外板２１に向かって折曲して前記第一外板２１上に重ね合わせ、且つ、前記第二クリーズ３２１によって前記第二補強板３２を前記第二外板３１に向かって折曲して前記第二外板３１上に重ね合わせることで、前記第一嵌合凸部２２３及び前記第二嵌合凸部３２３が前記第一切込部２１２及び前記第二切込部３１２の上方にそれぞれ位置している。
【００２３】
つぎに、前記第一スコア２１１によって前記第一外板２１を前記底板１に向かって折曲することで、前記第一補強板２２の前記第一組立内側辺２２２が前記底板１に緊密に当接して固定し、且つ折曲後、前記第一切込部２１２及び前記底板１が分離して前記第一嵌合凸部２２３の移動を制限する空間（図示されていない）を形成することで、前記第一側板２と前記底板１との間にある嵌合関係をさらに強化している。一方、前記第二スコア３１１によって前記第二外板３１を前記底板１に向かって折曲することで、前記第二補強板３２の前記第二組立内側辺３２２が前記底板１に緊密に当接して固定し、且つ折曲後、前記第二切込部３１２及び前記底板１が分離して前記第二嵌合凸部３２３の移動を制限する空間（図示されていない）を形成することで、前記第二側板３と前記底板１との間にある嵌合関係をさらに強化している。
【００２４】
また、前記第一側板２及び前記第二側板３のいずれもが前記底板１に向かって折曲することを待った後、前記第一連接板３３１及び前記第一外板２１と同一平面になるまで、前記第一折れ線３３２によって前記第二外板３１の前記第一連接板３３１を前記第一側面２に向かって折曲し、前記第一凸起３３３を前記第一組立部２３、即ち前記第一凹溝に嵌合させることで、前記第一側板２と前記第二側板３との間に強固な嵌合関係を形成し、前記梱包材は、保護したい製品の隅角位置に設置することにより、緩衝用のアングル材として用いることができる。
【００２５】
また、前記第三側板４の位置は、前記第一側板２の位置と対応し、且つ、前記第一側板２と相似する構成を有しており、前記第三側板４は、第三外板４１と、前記第三外板４１上に形成して前記第三側辺１３に連接するために用いる第三スコア４１１と、前記第三スコア４１１から離れた前記第三外板４１の一側に連接する第三補強板４２と、前記第三外板４１及び前記第三補強板４２を連接するために用いる第三クリーズ４２１と、前記第二側板３に近接する前記第三外板４１の一側に設置する第二連接部３４とを包含している。
【００２６】
また、前記第三補強板４２は、前記第三クリーズ４２１から離れた一側を第三組立内側辺４２２とし、前記第三組立内側辺４２２上に前記第三補強板４２より前記第三クリーズ４２１から離れる方向に凸出する少なくとも一つの第三嵌合凸部４２３を設け、前記第三スコア４１１は、前記第三嵌合凸部４２３に対応した位置に切込を形成する少なくとも一つの第三切込部４１２を包含している。
【００２７】
また、前記第二側板３は、前記第三側板４に近接する前記第二外板３１の一側に設置する第二連接部３４をさらに有し、且つ前記第二連接板３４１を介して前記第三側板４の前記第二組立部４３と嵌合している。つまり、前記第二組立部４３は、前記第二側板３に向いている第二凹溝であって、前記第二連接板３４は、前記第三側板４に近接する前記第二外板３１の一側に連接する第二連接板３４１と、前記第二連接板３４１上に形成して前記第二外板３１に接続するために用いる第二折れ線３４２と、前記第二連接板３４１より前記第二外板３１から離れる方向に向かって凸出することで前記第二凹溝と嵌合関係を形成する第二凸起３４３とを包含している。
【００２８】
図３Ａ、３Ｂを再度参照すると、本発明をさらに組立てるためには、まず、前記第三クリーズ４２１によって前記第三補強板４２を前記第三外板４１に向かって折曲して前記第三外板４１上に重ね合わせることで、前記第三嵌合凸部４２３が前記第三切込部４１２の上方に位置し、さらに、前記第三スコア４１１によって前記三外板４１を前記底板１に向かって折曲することで、前記第三補強板４２の前記第三組立内側辺４２２が前記底板１に緊密に当接して固定し、前記第三切込部４１２及び前記底板１が分離して前記第三嵌合凸部４２３の移動を制限する空間（図示されていない）を形成することで、前記第三側板４と前記底板１との間にある嵌合関係をさらに強化している。
【００２９】
次に、前記第二側板３が前記底板１に向かって折曲した後、前記第二連接板３４１及び前記第二外板３１と同一平面になるまで、前記第二折れ線３４２によって前記第二連接板３４１を前記第三側板４に向かって折曲し、前記第二凸起３４３を前記第二組立部４３、即ち前記第二凹溝に嵌合させることで、前記第二側板３と前記第三側板４との間にも強固な嵌合関係を形成している。
【００３０】
また、前記第四側板５の構成は、前記第二側板３と相似しており、前記第四側板５は、第四外板５１と、前記第四外板５１上に形成して前記第四側辺１４に連接するために用いる第四スコア５１１と、前記第四スコア５１１から離れた前記第四外板５１の一側に連接する第四補強板５２と、前記第四外板５１及び前記第四補強板５２を連接するために用いる第四クリーズ５２１とを有し、且つ前記第四補強板５２は、前記第四クリーズ５２１から離れた一側を第四組立内側辺５２２とし、前記第四組立内側辺５２２上に前記第四補強板５２より前記第四クリーズ５２１から離れる方向に凸出する少なくとも一つの第四嵌合凸部５２３を設け、前記第四スコア５１１は、前記第四嵌合凸部５２３に対応した位置に切込を形成する少なくとも一つの第四切込部５１２を包含している。
【００３１】
さらに、前記第四側板５に近接する前記第三外板４１の一側に第三組立部４４を設け、前記第四側板５に近接する前記第一外板２１の一側に第四組立部１４を設けており、前記第三外板４１及び前記第一外板２１に近接する前記第四外板５１の相対する両側は、第三連接部５３及び第四連接部５４をそれぞれ設けている。
【００３２】
本実施例では、前記第三組立部４４及び前記第四組立部１４は、それぞれ第三凹溝及び第四凹溝であって、前記第三連接部５３は、第三連接板５３１と、前記第四外板５１及び前記第三連接板５３１を連接するために用いる第三折れ線５３２と、前記第四外板５１から離れる方向に向かって凸出することで前記第三凹溝と嵌合関係を形成する第三凸起５３３とを包含し、前記第四補強板５４は、第四連接板５４１と、前記第四外板５１及び前記第四連接板５４１を連接するために用いる第四折れ線５４２と、前記第四外板５１から離れる方向に向かって凸出することで第四凹溝と嵌合関係を形成する第四凸起５４３とを包含している。
【００３３】
本発明に係る梱包材を完成させるためには、まず、前記第四クリーズ５２１によって前記第四補強板５２を前記第四外板５１に向かって折曲して前記第四外板５１上に重ね合わせ、且つ、前記第四スコア５１１によって前記第四外板５１を前記底板１に向かって折曲することで、前記第四組立内側辺５２２が前記底板１に緊密に当接し、さらに、前記第四切込部５１２及び前記底板１が分離して前記第四嵌合凸部５２３の移動を制限する空間（図示されていない）を形成することで、前記第四側板５と前記底板１との間にある嵌合関係をさらに強化している。
【００３４】
最後に、前記第一側板２及び前記第三側板４が前記底板１に向かって折曲した後、前記第三外板４１と同一平面になるまで、前記第三折れ線５３２によって前記第三連接板５３１を前記第三側面４に向かって折曲し、且つ前記第一外板２１と同一平面になるまで、前記第四折れ線５４２によって前記第四連接板５４１を前記第一側板２に向かって折曲し、前記第三凸起５３３及び前記第四凸起５４３が前記第三凹溝、即ち前記第三組立部４４及び前記第四凹溝、即ち前記第四組立部２４にそれぞれ嵌合することで、前記第四側板５は、前記第一側板２及び前記第三側板４を強固に連接し、これにより、本発明に係る前記梱包材の実施形態を完了している。このとき、連接し合う前記第一側板２、前記第二側板３、前記第三側板４及び前記第四側板５は、囲繞して収容空間を定義し、使用者は、製品を収容空間に収容することで、製品の周りに保護効果を提供している。
【００３５】
なお、本発明に係る第一実施例における複数の前記組立部２３、２４、４３、４４は、図３Ｅのように、複数の前記連接板３３、３４、５３、５４の形態と符合しており、形態が符合しているというのは、例えば、前記第一凹溝はアリ溝で、前記第一凸起３３３の形状は前記アリ溝と対応するアリ型であるというように、前記第一凹溝及び前記第一凸起３３３は対応し合う形状を有し且つ一致し合うことができるということを指しているが、上述した形状に限定するものではない。
【００３６】
また、複数の前記組立部２３、２４、４３、４４は、複数の前記連接板３３，３４、５３、５４の形態と相違することもでき、本発明に係る第二実施例の局部的実施を示す模式図である図４を参照すると、前記第四組立部２４、即ち前記第四凹溝は、アリ溝の形態で実施しているものの、前記第四凸起５４３は、円弧形状の凸起の形態で実施していることから、前記第四凸起５４３が前記第四凹溝に嵌合する際に僅かな変形が発生し、自身の弾性回復力によって前記第四凹溝の内縁を当接して干渉を形成するため、前記第四組立部２４もまた前記第四連接板５４と強固に組み立てることができる。
【００３７】
同じように、前記第一組立部２３と前記第一連接板３３との形態、前記第二組立部４３と前記第二連接板３４との形態及び前記第三組立部４４と前記第三連接板５３との形態もまた相違することができる。
【００３８】
また、本発明に係る第三実施例の実施を示す模式図である図５を参照すると、本実施例では、前記梱包材の構成は、上述した第一実施例と基本的には同じであるが、前記第四側板５の構成を除き、前記底板１、前記第一側板２、前記第三側板３、及び前記第四側板４のみで塵取り状の実施形態を構成し、このような形態で実施する前記梱包材は、前記製品の隅角及び周縁を被覆することができ、製品の末端を保護している。
【００３９】
最後に、本発明に係る第四実施例の実施を示す模式図である図６を参照すると、本実施例における前記梱包材の構成は、上述した第一実施例と基本的には同じであるが、本実施例では、前記第三側板４は、前記第三強固板４２に代わってフラップ４５をさらに有するという差異がある。
【００４０】
そのうち、前記フラップ４５は、前記第三クリーズ４２１を介して前記第三スコア４１１から離れる前記第三外板４１の一側に連接し、且つ、前記第三外板４１から離れる前記フラップ４５の一側に設ける第五凸起４５１を有しており、前記第一補強板２２に連接する前記第一外板２１の一側は、前記第五凸起４５１に対応する位置に第五凹溝２５を設けている。
【００４１】
実施際は、まず、前記第一側板２、前記第二側板３、前記第三側板４及び前記第四側板５をそれぞれ前記底板１に向かって折曲した後、さらに、前記第三クリーズ４２１によって前記フラップ４５を前記第一側板２に向かって折曲して前記第一側板２、前記第二側板３、前記第三側板４及び前記第四側板５上に当接させ、さらにまた、前記第五凸起４５１を前記第一外板２１に向かって折曲して前記第五凹溝２５内に嵌合することで、組立を完成している。
【００４２】
前記フラッペ４５の折曲を介することで、前記梱包材は、ボックス状の構成を形成して前記製品を封閉することで前記収容空間内に制限し、前記製品に対して包括的な保護を提供している。
【００４３】
また、第四実施例における複数の前記組立部２３、２４、４３、４４と複数の前記連接板３３、３４、５３、５４との構成は、第一実施例と反対であって、前記第一組立部２３及び前記第一連接板３３で例示すると、前記第一組立部２３は、前記第一外板２１に連接する第一連接板２３１と、前記第一外板２１及び前記第一連接板２３１を連接するために用いる第一折れ線２３２と、前記第一連接板２３１より前記第一外板２１から離れる方向に向かって凸出する第一凸起２３３とを包括し、前記第一連接部３３は、前記第一凸起２３３に対応して前記第一凸起２３３と嵌合関係を形成する第一凹溝である。つまり、第一実施例における前記組立部２３の形態と、第一実施例における前記第一連接部３３の形態とが互いに入れ代って実施されている。
【００４４】
同じように、前記第二組立部４３と前記第二連接板３４との形態、前記第三組立部４４と前記第三連接板５３との形態、第四組立部２４と前記第四連接部５４との形態もまた第一実施例において掲示する形態と入れ代って実施されている。
【符号の説明】
【００４５】
１        底板
１１      第一側辺
１２      第二側辺
１３      第三側辺
１４      第四側辺
２        第一側板
２１      第一外板
２１１    第一スコア
２１２    第一切込部
２２      第一補強板
２２１    第一クリーズ
２２２    第一組立内側辺
２２３    第一嵌合凸部
２３      第一組立部
２３１    第一連接板
２３２    第一折れ線
２３３    第一凸起
２４      第四組立部
２５      第五凹溝
３        第二側板
３１      第二外板
３１１    第二スコア
３１２    第二切込部
３２      第二補強板
３２１    第二クリーズ
３３      第一連接部
３３１    第一連接板
３３２    第一折れ線
３３３    第一凸起
３４      第二連接部
３４１    第二連接板
３４２    第二折れ線
３４３    第二凸起
４        第三側板
４１      第三外板
４１１    第三スコア
４１２    第三切込部
４２      第三補強板
４２１    第三クリーズ
４２２    第三組立内側辺
４２３    第三嵌合凸部
４３      第二組立部
４４      第三組立部
４５      フラップ
４５１    第五凸起
５        第四側板
５１      第四外板
５１１    第四スコア
５１２    第四切込部
５２      第四補強板
５２１    第四クリーズ
５２２    第四組立内側辺
５２３    第四嵌合凸部
５３      第三組立部
５３１    第三連接板
５３２    第三折れ線
５３３    第三凸起
５４      第四組立部
５４１    第四連接板
５４２    第四折れ線
５４３    第四凸起
【図１】
2017100764.tif 000003
【図２】
2017100764.tif 000004
【図３Ａ】
2017100764.tif 000005
【図３Ｂ】
2017100764.tif 000006
【図３Ｃ】
2017100764.tif 000007
【図３Ｄ】
2017100764.tif 000008
【図３Ｅ】
2017100764.tif 000009
【図４】
2017100764.tif 000010
【図５】
2017100764.tif 000011
【図６】
2017100764.tif 000012